(57)【要約】【課題】取り扱いが容易でかつ安全帯の使用にかかる作業性の良化向上を図ることができる安全帯用フックを提供する。【解決手段】ほぼ門形状に曲折されて内方を被係合物Ｗが挿通される嵌合口部４となしたフック本体２と、このフック本体２の嵌合口部４の開放側における両端部間に配置されかつその開放側を閉塞及び開放可能となすストッパー部材３とからなり、ストッパー部材３は、フック本体２の一方側の端部に対して開放側を閉塞する方向及び閉塞を解く方向へのスライド状に移動可能に装設されるとともに、その一端部がフック本体２の他方側の端部に形成された係合部７に対して挿入及び抜脱可能に対向され、ストッパー部材３には、その一端部が係合部７に挿入されて開放側を閉塞した状態のとき、その閉塞を解く方向への移動を阻止する係止部材１１が装設されている。【選択図】図２
2008126048.tif 000002
【特許請求の範囲】
【請求項１】
ほぼ門形状に曲折されて内方を被係合物が挿通される嵌合口部となしたフック本体と、このフック本体の嵌合口部の開放側における両端部間に配置されかつその開放側を閉塞及び開放可能となすストッパー部材とからなり、
前記ストッパー部材は、前記フック本体の一方側の端部に対して前記開放側を閉塞する方向及び該閉塞を解く方向へのスライド状に移動可能に装設されるとともに、その一端部が前記フック本体の他方側の端部に形成された係合部に対して挿入及び抜脱可能に対向され、
前記ストッパー部材には、その一端部が係合部に挿入されて前記開放側を閉塞した状態のとき、その閉塞を解く方向への移動を阻止する係止部材が装設されていることを特徴とする安全帯用フック。
【請求項２】
請求項１記載の安全帯用フックであって、前記係止部材は、前記ストッパー部材に傾動可能に設けられかつ前記フック本体の他方側の端部外面に対し当接係止可能に常にはバネ手段により付勢された第１の係止部材から構成されていることを特徴とする安全帯用フック。
【請求項３】
請求項１または２記載の安全帯用フックであって、前記係止部材は、前記ストッパー部材に傾動可能に設けられかつ前記フック本体の一方側の端部内面に対し当接係止可能に常にはバネ手段により付勢された第２の係止部材から構成されていることを特徴とする安全帯用フック。
【請求項４】
請求項１〜３のいずれか１記載の安全帯用フックであって、前記ストッパー部材には移動操作用の把持部材が前記フック本体の嵌合口部に対して反対方向に指向して突設され、この把持部材の側縁に沿って前記係止部材の手動操作用の操作片が対向位置されていることを特徴とする安全帯用フック。
【発明の詳細な説明】
【技術分野】
【０００１】  本発明は、例えば、高所作業等に使用される安全帯用フックに関する。
【背景技術】
【０００２】  一般に、この種の安全帯用フックにあっては、例えば、一端に大口径の鉤部が形成され、他端に安全帯としてのロープが取付けられたフック本体に対し、その他端側に鉤部の開口部位を閉塞及び開放可能にするバネを内蔵した開閉キャップが鉤部の空間部の内方から該鉤部端に当接するように軸支され、前記フック本体の背部に、前記開閉キャップの閉塞（閉）状態を保持するバネを内蔵した安全キャップが取付けられて構成された安全フックが案出されている（特許文献１参照）。
【特許文献１】  実用新案登録第３０９４１３８号
【発明の開示】
【発明が解決しようとする課題】
【０００３】  しかしながら、上記した構造の安全フックにあっては、フック本体の鉤部の開口部位を閉塞及び開放可能にする開閉キャップが該フック本体の外郭形状の一部として該鉤部の空間部内において開閉回動する、すなわち、該鉤部の空間部内に開閉キャップの回動軌跡が位置するように構成されているため、この開閉キャップの回動軌跡によって鉤部の被係合部位に対応する空間部が狭くなるという制約を受けることになる。
したがって、鉤部を被係合物に係合させるに際し、大径の大きな被係合物に対応するには、該被係合物に見合うサイズのフック本体（鉤部）を備えた安全フックを用意する必要があるが、その安全フック全体が被係合物に対応するサイズとして必要以上に大きなものとなることは必然的であり、重量の増加とともに、その取り扱いが面倒かつ煩わしく、安全帯の使用にかかる作業性の悪化は免れないもので、取り扱いが簡易な安全帯用フックが希求されているのが現状である。
そこで、本発明は、上記した従来の問題点に鑑み、取り扱いが容易でかつ安全帯の使用にかかる作業性の良化向上を図ることができる安全帯用フックを提供することである。
【課題を解決するための手段】
【０００４】  請求項１に記載の発明は、ほぼ門形状に曲折されて内方を被係合物が挿通される嵌合口部となしたフック本体と、このフック本体の嵌合口部の開放側における両端部間に配置されかつその開放側を閉塞及び開放可能となすストッパー部材とからなり、
前記ストッパー部材は、前記フック本体の一方側の端部に対して前記開放側を閉塞する方向及び該閉塞を解く方向へのスライド状に移動可能に装設されるとともに、その一端部が前記フック本体の他方側の端部に形成された係合部に対して挿入及び抜脱可能に対向され、
前記ストッパー部材には、その一端部が係合部に挿入されて前記開放側を閉塞した状態のとき、その閉塞を解く方向への移動を阻止する係止部材が装設されていることを要旨とする。
上記した構成によれば、フック本体をほぼ門形状に形成して内方を被係合物が挿通される嵌合口部となし、このフック本体の嵌合口部の開放側における両端部間に該開放側を閉塞及び開放可能となすストッパー部材を配置することによって、該嵌合口部の開放側を閉塞するためのストッパー部材によりその嵌合口部スペースが狭められることなく、フック本体に対して効率よく形成された嵌合口部をそのままの大きさに確保することができる。
そして、フック本体の嵌合口部の開放側を閉塞及び開放する場合には、ストッパー部材を単にスライドさせてその一端をフック本体の他方側の端部に形成された係合部に挿入及び抜脱する簡単な移動操作のみでよく、しかも、係止部材によって嵌合口部の開放側を閉塞した状態のとき、その閉塞を解く方向への移動を阻止して、嵌合口部の閉塞状態を維持し得る。したがって、その使用に際し、フック本体が被係合物に挿通嵌合された状態を確実に保持することができるものである。【０００５】  請求項２記載の発明は、請求項１記載の安全帯用フックであって、前記係止部材は、前記ストッパー部材に傾動可能に設けられかつ前記フック本体の他方側の端部外面に対し当接係止可能に常にはバネ手段により付勢された第１の係止部材から構成されていることを要旨とする。
上記した構成によれば、請求項１の上記した記載に加え、第１の係止部材がフック本体の他方側の端部外面に対して当接係止されてフック本体の嵌合口部の開放側を閉塞したストッパー部材の移動、すなわち、その閉塞を解く方向への移動を確実に阻止することができる。これによって、フック本体が被係合物に挿通嵌合された状態を確実に保持することができるものである。【０００６】  請求項３記載の発明は、請求項１または２記載の安全帯用フックであって、前記係止部材は、前記ストッパー部材に傾動可能に設けられかつ前記フック本体の一方側の端部内面に対し当接係止可能に常にはバネ手段により付勢された第２の係止部材から構成されていることを要旨とする。
上記した構成によれば、請求項１または２の上記した記載に加え、第２の係止部材がフック本体の一方側の端部内面に対して当接係止されてフック本体の嵌合口部の開放側を閉塞したストッパー部材の移動、すなわち、その閉塞を解く方向への移動を確実に阻止することができる。これによって、フック本体が被係合物に挿通嵌合された状態を確実に保持することができるとともに、該第２の係止部材及び前記第１の係止部材の両阻止動作により前記したストッパー部材における閉塞を解く方向への移動をさらに確実に阻止することができるものである。【０００７】  請求項４記載の発明は、請求項１〜３のいずれか１記載の安全帯用フックであって、前記ストッパー部材には移動操作用の把持部材が前記フック本体の嵌合口部に対して反対方向に指向して突設され、この把持部材の側縁に沿って前記係止部材の手動操作用の操作片が対向位置されていることを要旨とする。
この構成によれば、請求項１または３の上記した記載に加え、把持部材によってストッパー部材の手動による移動操作をさらに容易になし得るとともに、該把持部材に対向位置された操作片によって係止部材におけるストッパー部材への移動阻止状態及びその解除状態の手動操作を容易になし得る。
【発明の効果】
【０００８】  請求項１記載の発明にあっては、フック本体における嵌合口部スペースが狭められることなく、フック本体に対して効率よく形成された嵌合口部をそのままの大きさに確保することができる。
そして、ストッパー部材の簡単な移動操作によって、フック本体の嵌合口部の開放側を閉塞及び開放することができる。しかも、ストッパー部材による嵌合口部の開放側の閉塞状態状態を確実に維持することができる。このことは、安全帯の使用に際し、そのフック本体が被係合物に挿通嵌合された状態を確実に保持することができ、その取り扱いが容易でかつ安全帯の使用にかかる作業性の良化向上を図ることができる。【０００９】  請求項２記載の発明にあっては、上記請求項１に記載の効果に加え、第１の係止部材によりストッパー部材の移動、すなわち、その閉塞を解く方向への移動を確実に阻止することができる。【００１０】  請求項３記載の発明にあっては、上記請求項１または２に記載の効果に加え、第２の係止部材よりストッパー部材の移動、すなわち、その閉塞を解く方向への移動を確実に阻止することができる。これによって、フック本体が被係合物に挿通嵌合された状態を確実に保持することができるとともに、前記第１の係止部材との両阻止動作によりストッパー部材における閉塞を解く方向への移動をさらに確実に阻止することができる。【００１１】  請求項４記載の発明にあっては、上記請求項１または３に記載の効果上記に加え、把持部材によってストッパー部材の手動による移動操作をさらに容易になし得るとともに、該把持部材に対向位置された操作片によって係止部材におけるストッパー部材への移動阻止状態及びその解除状態の手動操作を容易になし得る。
【発明を実施するための最良の形態】
【００１２】  次に、本発明を実施するための最良の形態について、実施例にしたがって説明する。
【実施例】
【００１３】  以下、本発明の実施例を図面にしたがって説明する。【００１４】  図１〜図３に示すように、本実施例における安全帯用フック１は、フック本体２と、該フック本体２の後述する嵌合口部の開放側を閉塞及び開放可能となすストッパー部材３とを主体としてそれぞれ金属製から構成されている。【００１５】  前記フック本体２は、所望の断面形状（図では円形の場合を示す。）の棒材からほぼＵ字状（図１では逆Ｕ字状を示す。）の門形状に曲折形成されていて、その内方を被係合物Ｗが挿通嵌合される嵌合口部４となし、該嵌合口部４の開放側における両端部において、一方側（図１では右側）の端部５ａには前記ストッパー部材３が挿通される取付孔６が貫設され、他方側（図１では左側）の端部５ｂには前記ストッパー部材３の一端部（図１では左端）が挿入及び抜脱可能に対向されかつ前記取付孔６と同一軸中心上に止まり孔状の係合部７が穿設されている。
なお、取付孔６側の端部５ａには該取付孔６を割り状とするスリット８が形成されている。また、フック本体２の門形状にあっては、図示のほぼＵ字状に限定するものではなく、所望形状の嵌合口部４が形成される形状であれば、いずれの形状であってもよい。【００１６】  前記ストッパー部材３は、所望の断面形状（図では円形の場合を示す。）の棒材から前記フック本体２の両端部５ａ、５ｂの外側端面間に相当する長さに形成され、その中央部には、前記フック本体２の嵌合口部４に対して反対方向に指向するほぼＵ字状の移動操作用の把持部材９が突設されている。【００１７】  前記ストッパー部材３は、その軸部位が前記フック本体２の一方側の端部５ａに形成された取付孔６に対しスライド状に移動可能に挿通されており、その一端部がほぼ半球状に形成されて前記フック本体２の他方側の端部５ｂに形成された係合部７に対し挿入及び抜脱可能に対向されている。
そして、ストッパー部材３は図１において左方に移動してその一端部を係合部７に挿入することによって前記フック本体２の嵌合口部４の開放側を閉塞し、該一端部を係合部７から抜脱して図１において右方に移動にすることによって該フック本体２の嵌合口部４の開放側を開放するように構成されている。【００１８】  また、前記ストッパー部材３における把持部材９は、取付孔６に対する該ストッパー部材３の挿通時及び移動時に前記スリット８を挿通し得るように該スリット８の幅に対応する幅の板状に形成されている。さらに、該ストッパー部材３の一端部側には前記係合部７に挿入される部位の長さを残した当該部位の外周にリング状の抜止め環１０が取付孔６に対するストッパー部材３の挿通組付け後に溶接等の手段により後付け固定され、該ストッパー部材３が取付孔６から抜脱することを防止するように構成されている。【００１９】  係止部材１１を構成する第１の係止部材１２は、所望の幅の板材からほぼＬ状に形成され、その曲折部位が前記ストッパー部材３と把持部材９との一方隅部の膨部１３ａに対し支ピン１４ａを介して傾動可能に軸支されている。この第１の係止部材１２は、一方の片が該ストッパー部材３に沿って延出されてその端部に当接係止片１６が直角状に起立した状態で一体的に形成され、他方の片が前記把持部材９の一方側縁に沿って対向位置されて手動操作用の操作片１５となしている。
そして、前記第１の係止部材１２は、前記ストッパー部材３が前記フック本体２の嵌合口部４の開放側を閉塞した状態において、その当接係止片１６が該フック本体２の他方側の端部５ｂ外面に対して当接係止するように構成されている。なお、第１の係止部材１２は、その操作片１５と把持部材９の一方側縁との間に弾装されたバネ手段１７により常には当接係止片１６がフック本体２の他方側の端部５ｂ外面に当接係止する方向に付勢されている。【００２０】  また、係止部材１１を構成する第２の係止部材１８は、所望の幅の板材からほぼＬ状に形成され、その曲折部位が前記ストッパー部材３と把持部材９との一方隅部の膨部１３ｂに対し支ピン１４ｂを介して傾動可能に軸支されている。この第２の係止部材１８は、一方の片が該ストッパー部材３に沿って延出されてその端部に当接係止部１９が一体状に膨出形成され、他方の片が前記把持部材９の他方側縁に沿って対向位置されて手動操作用の操作片２０となしている。
そして、前記第２の係止部材１８は、前記ストッパー部材３が前記フック本体２の嵌合口部４の開放側を閉塞した状態において、その当接係止部１９が該フック本体２の一方側の端部５ａ内面に対して当接係止するように構成されている。なお、第２の係止部材１８は、その操作片２０と把持部材９の他方側縁との間に弾装されたバネ手段２１により常には当接係止部１９がフック本体２の一方側の端部５ａ内面に当接係止する方向に付勢されている。【００２１】  なお、前記把持部材９にはロープ等の安全帯Ｙが結合されるものである。【００２２】  本実施例の安全帯用フック１は上述のように構成されたものであり、その使用に際し、フック本体２を被係合物Ｗに挿通嵌合する場合について説明する。
図１に示すようにフック本体２の嵌合口部４の開放側が開放された状態において、被係合物Ｗに対しフック本体２をその開放側から挿通嵌合するとともに、第１の係止部材１２及び第２の係止部材１８におけるそれぞれの操作片１５、２０をそのバネ手段１７、２１の弾力に抗して把持部材９側に傾動するように該把持部材９を把持すると、第１の係止部材１２が支ピン１４ａを支点として図１において反時計方向に傾動されてその当接係止片１６をストッパー部材３から離間するように退避され、また、第２の係止部材１８が支ピン１４ｂを支点として図１において時計方向に傾動されてその当接係止部１９をストッパー部材３から離間するように退避される。
この場合、ストッパー部材３における把持部材９の把持動作とともに、第１及び第２の係止部材の手動操作を同時に行なうことができるので、その操作を容易になし得る。【００２３】  この状態のまま、手動操作によりストッパー部材３を図１において左方にスライド状に移動させてその一端部をフック本体２の他方側の端部５ｂにおける係合部７に挿入することによって該フック本体２の嵌合口部４の開放側を閉塞する。この場合、ストッパー部材３の一端部はその挿入される係合部７が止まり孔状に形成されているため、同方向へのそれ以上の移動が阻止されるものである。また、ストッパー部材３の抜止め環１０をフック本体２の他方側の端部５ｂに当接することによって、該ストッパー部材３の同方向へのそれ以上の移動が阻止されるものである。【００２４】  そして、把持部材９に対する把持状態を解離すると、第１の係止部材１２が支ピン１４ａを支点として図１において時計方向にバネ手段１７の付勢力により傾動（復帰傾動）され、その当接係止片１６がフック本体２の他方側の端部５ｂ外面に自動的に当接係止される。一方、第２の係止部材１８も支ピン１４ｂを支点として図１において反時計方向にバネ手段２１の付勢力により傾動（復帰傾動）され、その当接係止部１９がフック本体２の一方側の端部５ａ内面に自動的に当接係止される。
これによって、ストッパー部材３の移動、すなわち、その閉塞を解く方向への移動が阻止され、フック本体２における嵌合口部４の開放側の閉塞状態を確実に確保（維持）するものであり、被係合物Ｗに対するフック本体２の挿通嵌合が維持されるものである。（図２参照）【００２５】  続いて、被係合物Ｗに対するフック本体２の挿通嵌合を解離する場合には、前述のように、第１の係止部材１２及び第２の係止部材１８におけるそれぞれの操作片１５、２０をそのバネ手段１７、２１の弾力に抗して把持部材９側に傾動するように該把持部材９を把持すると、第１の係止部材１２が支ピン１４ａを支点として図２において反時計方向に傾動されるので、その当接係止片１６が退避されて前述のフック本体２における他方側の端部５ｂ外面との当接係止を解離する。一方、第２の係止部材１８も支ピン１４ｂを支点として図１において時計方向に傾動されるので、その当接係止部１９が退避されて前述のフック本体２における一方側の端部５ａ内面との当接係止を解離する。【００２６】  そして、ストッパー部材３を図２において右方にスライド状に移動させてその一端部をフック本体２の他方側の端部５ｂにおける係合部７から抜脱することによって該フック本体２の嵌合口部４の開放側を開放し、被係合物Ｗに対するフック本体２の挿通嵌合を解き、フック本体２を被係合物Ｗから離脱するものである。（図１参照）
この場合、ストッパー部材３が取付孔６から抜脱することを抜止め環１０がフック本体２の一方側の端部５ａに当接することによって阻止するものである。【００２７】  さて、本実施例にあっては、フック本体２をほぼ門形状に形成して内方を被係合物Ｗが挿通される嵌合口部４となし、このフック本体２の嵌合口部４の開放側における両端部５ａ、５ｂ間に該開放側を閉塞及び開放可能となすストッパー部材３を配置することによって、該嵌合口部４の開放側を閉塞するためのストッパー部材３によりその嵌合口部４のスペースが狭められることなく、フック本体２に対して効率よく形成された嵌合口部４をそのままの大きさに確保することができ、フック全体を大型化することなく、大径の大きな被係合物に対応することができる。【００２８】  なお、前述した実施例において、ストッパー部材３の断面形状を円形としたが、この形状に限定するものではなく、四角形等の多角形状でもの実施可能であり、この場合には、当然に取付孔６及び係合部の断面形状はストッパー部材３の断面形状に合致させるもで、ストッパー部材３の軸周りの自由回動を未然に防止することができるものである。【００２９】  また、本実施例にあっては、係合部７を止まり孔状に形成してこの係合部７に挿入されるストッパー部材３のそれ以上の移動、すなわち、嵌合口部４の開放側を閉塞する方向への移動を阻止するようにし、該ストッパー部材３の閉塞を解く方向への移動を係止部材１１を構成する第１及び第２の係止部材１２、１８で阻止するように構成したが、この係合部７を貫通状の孔として形成した場合には、ストッパー部材３の抜止め環１０をフック本体２の他方側の端部５ｂに当接することによって、該ストッパー部材３の閉塞方向への移動を阻止するものであるが、係止部材１１における第１の係止部材１２を第２の係止部材１８と同様に、フック本体２の他方側の端部５ｂ内方に当接係止するように構成して該第１及び第２の係止部材１２、１８によって、フック本体２の両側の端部５ａ、５ｂ内方に対し突っ張った状態で当接係止してストッパー部材３の移動を阻止するようにすることも可能である。【００３０】  なお、本実施例における各部材の構成は、本発の要旨を逸脱しない範囲において種々変更が可能である。
【図面の簡単な説明】
【００３１】
【図１】  安全帯用フックの全体を示し、フック本体の嵌合口部の開放側を開放した状態の正面図である。
【図２】  同じく、安全帯用フックの全体を示し、フック本体の嵌合口部の開放側を閉塞した状態の正面図である。
【図３】  図２のａ−ａ線拡大断面図である。
【図４】  図２のｂ−ｂ線拡大断面図である。
【符号の説明】
【００３２】  １  安全帯用フック
２  フック本体
３  ストッパー部材
４  嵌合口部
６  取付孔
７  係合部
９  把持部材
１１  係止部材
１２  第１の係止部材
１８  第２の係止部材
Ｙ  安全帯
Ｗ  被係合物
【図１】
2008126048.tif 000003
【図２】
2008126048.tif 000004
【図３】
2008126048.tif 000005
【図４】
2008126048.tif 000006